(57)【要約】  【課題】  無線ネットワークと通信装置とを接続することにより、ユーザーが携帯電話を使用する時の料金負担を低減して、通話料金を節約し、また、電話会議を行える無線ネットワーク移動電信装置を提供する。【解決手段】  一つ以上の移動ユニットと、複数各移動ユニットのメッセージを伝送するハブとゲートウェイと、各ハブとゲートウェイを介して各移動ユニットのメッセージを受信する無線ネットワークと、各ハブとゲートウェイ及び無線ネットワークを介して各移動ユニットのメッセージを受信し、受信したメッセージを、移動ユニットがログインする時に識別するためのものとして、各ハブとゲートウェイ及び無線ネットワークを介して移動ユニットへ返送してオンライン状態であることを表示する証明権限者と、が含有される。【選択図】図1
0003124120.tif 000002
【実用新案登録請求の範囲】
【請求項１】
一つ以上の移動ユニットと、
上記各移動ユニットのメッセージを伝送する複数のハブとゲートウェイと、
上記各ハブとゲートウェイを介して各移動ユニットのメッセージを受信する無線ネットワークと、
各ハブとゲートウェイ及び無線ネットワークを介して、各移動ユニットのメッセージを受信し、受信したメッセージを移動ユニットがログインする時に識別するためのものとして、各ハブとゲートウェイ及び無線ネットワークを介して移動ユニットへ返送してオンライン状態であることを表示する証明権限者と、
が含有される、
ことを特徴とする無線ネットワーク移動電信装置。
【請求項２】
当該移動ユニットが無線携帯電話である、ことを特徴とする請求項１に記載の無線ネットワーク移動電信装置。
【請求項３】
当該移動ユニットが車である、ことを特徴とする請求項１に記載の無線ネットワーク移動電信装置。
【請求項４】
当該証明権限者がサーバーである、ことを特徴とする請求項１に記載の無線ネットワーク移動電信装置。
【請求項５】
当該証明権限者は、ハンドシェイク信号で移動ユニットと証明権限者とのオンライン状態を定期に通知する、ことを特徴とする請求項１に記載の無線ネットワーク移動電信装置。
【考案の詳細な説明】
【技術分野】
【０００１】
本考案は、無線ネットワーク移動電信装置に関し、特に、無線ネットワークと通信装置とが接続されて、通話料金の節約と電話会議を行える効果が得られるものに関する。
【背景技術】
【０００２】
一般に、使用されるGSM（Global System for Mobile Telecommunications）携帯電話は、図４のように、各携帯電話５が通話の信号を受送信する時、信号が各ローカル基地局６により受信されてメイン基地局７へ送信され、そして、メイン基地局７により、受話および／または送話の信号の分配送信を行うことにより、各ユーザーが何時何処でも携帯電話５で通話できる効果が実現される。
【０００３】
現在の携帯電話５は、上記の方式により受話および／または送話の信号を伝送するものであり、携帯電話が伝送する時、電波が届くローカル内にある基地局により、GSM携帯電話システムが使用する900MHz、1800MHz、1900MHz、2100MHz等のレンジについて、信号の統合とフィルタ及び交換をした後、送信するため、電信会社は膨大な且つ複雑な設備を必要し、ユーザーが利用する時、通信業者から月賃貸料金や通話料金及びショートメッセージ料金等が徴収されて、ユーザーが携帯電話を使用する時の料金負担になっていた。
【考案の開示】
【考案が解決しようとする課題】
【０００４】
本考案の主な目的は、無線ネットワークと通信装置とを接続することにより、ユーザーが携帯電話を使用する時の料金負担を低減して、通話料金を節約し、また、電話会議が行えることを課題とする。
【課題を解決するための手段】
【０００５】
一つ以上の移動ユニットと、各移動ユニットのメッセージを伝送する複数のハブとゲートウェイと、各ハブとゲートウェイを介して各移動ユニットのメッセージを受信する無線ネットワークと、各ハブとゲートウェイ及び無線ネットワークを介して各移動ユニットのメッセージを受信し、受信したメッセージを移動ユニットがログインする時に識別するためのものとして、各ハブとゲートウェイ及び無線ネットワークを介して移動ユニットへ返送してオンライン状態であることを表示する証明権限者と、が含有される。
【考案の効果】
【０００６】
無線ネットワークと通信装置とが接続されるため、通話料金の節約と電話会議を行える効果が得られる。
【考案を実施するための最良の形態】
【０００７】
図１は、本考案のブロック概念図である。本考案は、図のように、無線ネットワーク移動電信装置であり、一つ以上の移動ユニット１と、複数のハブとゲートウェイ２と、無線ネットワーク３と、証明権限者４とからなり、移動ユニット１で、ハブとゲートウェイ２を介して、無線ネットワーク３と証明権限者４とが接続されることにより、通話料金の節約と電話会議を行える効果が得られる。
【０００８】
上記各移動ユニット１は無線携帯電話である。
【０００９】
複数のハブとゲートウェイ２は上記各移動ユニット１のメッセージを伝送する。
【００１０】
当該無線ネットワーク３は、上記各ハブとゲートウェイ２を介して、各移動ユニット１のメッセージを受信する。
【００１１】
当該証明権限者４はサーバーであり、各ハブとゲートウェイ２及び無線ネットワーク３を介して、各移動ユニット１のメッセージを受信し、受信したメッセージを移動ユニット１がログインする時に識別するためのものとして、各ハブとゲートウェイ２及び無線ネットワーク３を介して移動ユニット１へ返送してオンライン状態であることを表示し、また、定期にハンドシェイク信号で、移動ユニット１に対してオンライン状態を通知する。これにより、上記のように、新規な無線ネットワーク移動電信装置が構成される。
【００１２】
図２は、本考案の第１の実施例の概念図である。図のように、使用する時、ユーザーが、それぞれ無線携帯電話である当該移動ユニット１でパスワードを入力して送信し、各ハブとゲートウェイ２により、各移動ユニット１が入力したパスワードを、無線ネットワーク３を介して証明権限者４へ伝送し、当該証明権限者４は、受信したパスワードにより、ログインする者の身分を識別し、各ユーザーの身分の識別が正しければ、証明権限者４は、オンライン状態であるメッセージを、各ハブとゲートウェイ２及び無線ネットワーク３を介して各移動ユニット１へ返送することにより、各ユーザーにログインが成功するかどうかを通知し、各ユーザーがログインすることが成功してから、当該証明権限者４は、定期にハンドシェイク信号で、各ユーザーに対してその移動ユニット１と他のユーザー及び証明権限者４とのオンライン状態を通知し、
ユーザーが移動ユニット１で通話しようとする時、ユーザーは、その移動ユニット１で連絡しようとする一つや複数の他のユーザーをクリックして、当該移動ユニット１で、ハブとゲートウェイ２及び無線ネットワーク３を介して、パケットを証明権限者４へ伝送し、また、当該証明権限者４は、ハブとゲートウェイ２及び無線ネットワーク３を介して、通話要求信号を、ユーザーが連絡しようとする一つや複数の他のユーザーへ送信し、この時、ユーザーが連絡しようとする一つや複数の他のユーザーは、証明権限者４にオンラインする場合、通話を要求する者に対して通話するかを選択できる。
【００１３】
図３は、本考案の第２の実施例の概念図である。図のように、本考案の移動ユニット１は、無線携帯電話の他に、当該移動ユニット１aが車であっても良く、当該移動ユニット１aが車である場合、ユーザーが当該移動ユニット１aでパスワードを入力して送信し、各ハブとゲートウェイ２が、各移動ユニット１により入力されたパスワードを、無線ネットワーク３を介して、証明権限者４へ伝送し、当該証明権限者４が受信したパスワードによりログインする者の身分を識別し、各ユーザーの身分の識別が正しければ、証明権限者４が、オンライン状態であるメッセージを、各ハブとゲートウェイ２及び無線ネットワーク３を介して移動ユニット１aへ返送することにより、各ユーザーにログインが成功するかどうかを通知し、各ユーザーがログインすることが成功してから、当該証明権限者４が、定期にハンドシェイク信号で、各ユーザーに対してその移動ユニット１aと証明権限者４とのオンライン状態を通知し、このように、無線ネットワーク３を介して証明権限者４とのオンラインにより、証明権限者４が、何時でも当該車の所在地と走行位置を把握でき(即ち、走行定位システムの機能である)、無線で車を捜す効果が実現されて、これにより、オーナーが紛失した車を見つけることが実現される。
【００１４】
以上のように、本考案に係わる無線ネットワーク移動電信装置は、有効に従来の様々の欠点を改善し、移動ユニットで、ハブとゲートウェイを介して無線ネットワークと証明権限者とを接続することにより、通話料金を節約でき、また、電話会議を行える効果が得られ、より実用的で、ユーザーの需要をより満足できるため、法に従って実用新案登録請求を出願する。
【００１５】
以上は、本考案のより良い実施例であり、本考案の実用新案登録請求の範囲は其れによって制限されず、また、本考案の実用新案登録請求の範囲と考案明細書の内容に従って簡単な等価の変更や修正は、全てが、本考案の実用新案登録請求の範囲に含まれる。
【図面の簡単な説明】
【００１６】
【図１】本考案のブロック概念図である。
【図２】本考案の第１の実施例の概念図である。
【図３】本考案の第２の実施例の概念図である。
【図４】従来の概念図である。
【符号の説明】
【００１７】
(本考案部分)
１、１a              移動ユニット
２            ハブとゲートウェイ
３            無線ネットワーク
４            証明権限者
(従来部分)
５            携帯電話
６            ローカル基地局
７            メイン基地局
【図１】
0003124120.tif 000003
【図２】
0003124120.tif 000004
【図３】
0003124120.tif 000005
【図４】
0003124120.tif 000006
【手続補正書】
【提出日】平成18年6月6日(2006.6.6)
【手続補正１】
【補正対象書類名】実用新案登録請求の範囲
【補正対象項目名】全文
【補正方法】変更
【補正の内容】
【実用新案登録請求の範囲】
【請求項１】
一つ以上の移動ユニットと、該移動ユニットからのメッセージを伝送する複数のハブ及びゲートウェイと、各ハブとゲートウェイを介して、各移動ユニットのメッセージを受信する認証手段と、から構成されることを特徴とする無線移動電信装置。
【請求項２】
上記移動ユニットが無線携帯電話機であることを特徴とする請求項１に記載の無線移動電信装置。
【請求項３】
上記移動ユニットが車であることを特徴とする請求項１に記載の無線移動電信装置。
【請求項４】
上記認証手段がサーバーであることを特徴とする請求項１に記載の無線移動電信装置。
【請求項５】
上記認証手段が、ハンドシェイク信号で移動ユニットと認証手段とのオンライン状態を定期に通知することを特徴とする請求項１に記載の無線移動電信装置。
【手続補正２】
【補正対象書類名】明細書
【補正対象項目名】全文
【補正方法】変更
【補正の内容】
【考案の詳細な説明】
【技術分野】
【０００１】
本考案は、無線移動電信装置に関し、特に、無線と通信装置とが接続されて、通話料金の節約と電話会議を行える効果が得られるものに関する。
【背景技術】
【０００２】
一般に、使用されるGSM（Global System for Mobile Telecommunications）携帯電話は、図４のように、各携帯電話５が通話の信号を受送信する時、信号が各ローカル基地局６により受信されてメイン基地局７へ送信され、そして、メイン基地局７により、受話および／または送話の信号の分配送信を行うことにより、各ユーザーが何時何処でも携帯電話５で通話できる効果が実現される。
【０００３】
現在の携帯電話５は、上記の方式により受話および／または送話の信号を伝送するものであり、携帯電話が伝送する時、電波が届くローカル内にある基地局により、GSM携帯電話システムが使用する900MHz、1800MHz、1900MHz、2100MHz等のレンジについて、信号の統合とフィルタ及び交換をした後、送信するため、電信会社は膨大な且つ複雑な設備を必要し、ユーザーが利用する時、通信業者から月賃貸料金や通話料金及びショートメッセージ料金等が徴収されて、ユーザーが携帯電話を使用する時の料金負担になっていた。
【考案の開示】
【考案が解決しようとする課題】
【０００４】
本考案の主な目的は、無線と通信装置とを接続することにより、ユーザーが携帯電話を使用する時の料金負担を低減して、通話料金を節約し、また、電話会議が行えることを課題とする。
【課題を解決するための手段】
【０００５】
一つ以上の移動ユニットと、各移動ユニットからのメッセージを伝送する複数のハブ及びゲートウェイと、各ハブとゲートウェイを介して、各移動ユニットのメッセージを受信する認証手段と、が含有される。
【考案の効果】
【０００６】
無線と通信装置とが接続されるため、通話料金の節約と電話会議を行える効果が得られる。
【考案を実施するための最良の形態】
【０００７】
図１は、本考案のブロック概念図である。本考案は、図のように、無線移動電信装置であり、一つ以上の移動ユニット１と、複数のハブとゲートウェイ２と、無線ネットワーク３と、認証手段としての証明権限者４とからなり、移動ユニット１で、ハブとゲートウェイ２を介して、無線ネットワーク３と証明権限者４とが接続されることにより、通話料金の節約と電話会議を行える効果が得られる。
【０００８】
上記各移動ユニット１は無線携帯電話である。
【０００９】
複数のハブとゲートウェイ２は上記各移動ユニット１のメッセージを伝送する。
【００１０】
当該無線ネットワーク３は、上記各ハブとゲートウェイ２を介して、各移動ユニット１のメッセージを受信する。
【００１１】
当該証明権限者４はサーバーであり、各ハブとゲートウェイ２及び無線ネットワーク３を介して、各移動ユニット１のメッセージを受信し、受信したメッセージを移動ユニット１がログインする時に識別するためのものとして、各ハブとゲートウェイ２及び無線ネットワーク３を介して移動ユニット１へ返送してオンライン状態であることを表示し、また、定期にハンドシェイク信号で、移動ユニット１に対してオンライン状態を通知する。これにより、上記のように、新規な無線移動電信装置が構成される。
【００１２】
図２は、本考案の第１の実施例の概念図である。図のように、使用する時、ユーザーが、それぞれ無線携帯電話である当該移動ユニット１でパスワードを入力して送信し、各ハブとゲートウェイ２により、各移動ユニット１が入力したパスワードを、無線ネットワーク３を介して証明権限者４へ伝送し、当該証明権限者４は、受信したパスワードにより、ログインする者の身分を識別し、各ユーザーの身分の識別が正しければ、証明権限者４は、オンライン状態であるメッセージを、各ハブとゲートウェイ２及び無線ネットワーク３を介して各移動ユニット１へ返送することにより、各ユーザーにログインが成功するかどうかを通知し、各ユーザーがログインすることが成功してから、当該証明権限者４は、定期にハンドシェイク信号で、各ユーザーに対してその移動ユニット１と他のユーザー及び証明権限者４とのオンライン状態を通知し、
ユーザーが移動ユニット１で通話しようとする時、ユーザーは、その移動ユニット１で連絡しようとする一つや複数の他のユーザーをクリックして、当該移動ユニット１で、ハブとゲートウェイ２及び無線ネットワーク３を介して、パケットを証明権限者４へ伝送し、また、当該証明権限者４は、ハブとゲートウェイ２及び無線ネットワーク３を介して、通話要求信号を、ユーザーが連絡しようとする一つや複数の他のユーザーへ送信し、この時、ユーザーが連絡しようとする一つや複数の他のユーザーは、証明権限者４にオンラインする場合、通話を要求する者に対して通話するかを選択できる。
【００１３】
図３は、本考案の第２の実施例の概念図である。図のように、本考案の移動ユニット１は、無線携帯電話の他に、当該移動ユニット１aが車であっても良く、当該移動ユニット１aが車である場合、ユーザーが当該移動ユニット１aでパスワードを入力して送信し、各ハブとゲートウェイ２が、各移動ユニット１により入力されたパスワードを、無線ネットワーク３を介して、証明権限者４へ伝送し、当該証明権限者４が受信したパスワードによりログインする者の身分を識別し、各ユーザーの身分の識別が正しければ、証明権限者４が、オンライン状態であるメッセージを、各ハブとゲートウェイ２及び無線ネットワーク３を介して移動ユニット１aへ返送することにより、各ユーザーにログインが成功するかどうかを通知し、各ユーザーがログインすることが成功してから、当該証明権限者４が、定期にハンドシェイク信号で、各ユーザーに対してその移動ユニット１aと認証手段４とのオンライン状態を通知し、このように、無線ネットワーク３を介して証明権限者４とのオンラインにより、証明権限者４が、何時でも当該車の所在地と走行位置を把握でき(即ち、走行定位システムの機能である)、無線で車を捜す効果が実現されて、これにより、オーナーが紛失した車を見つけることが実現される。
【００１４】
以上のように、本考案に係わる無線移動電信装置は、有効に従来の様々の欠点を改善し、移動ユニットで、ハブとゲートウェイを介して無線ネットワークと認証手段としての証明権限者とを接続することにより、通話料金を節約でき、また、電話会議を行える効果が得られ、より実用的で、ユーザーの需要をより満足できるため、法に従って実用新案登録請求を出願する。
【００１５】
以上は、本考案のより良い実施例であり、本考案の実用新案登録請求の範囲は其れによって制限されず、また、本考案の実用新案登録請求の範囲と考案明細書の内容に従って簡単な等価の変更や修正は、全てが、本考案の実用新案登録請求の範囲に含まれる。
【図面の簡単な説明】
【００１６】
【図１】本考案のブロック概念図である。
【図２】本考案の第１の実施例の概念図である。
【図３】本考案の第２の実施例の概念図である。
【図４】従来の概念図である。
【符号の説明】
【００１７】
(本考案部分)
１、１a              移動ユニット
２            ハブとゲートウェイ
３            無線ネットワーク
４            証明権限者
(従来部分)
５            携帯電話
６            ローカル基地局
７            メイン基地局